(57)【要約】【課題】管理者が即座に最新の履歴情報を参照することができるインターネットファクシミリ装置を提供する。【解決手段】インターネットファクシミリ装置１で画像データの送信又は受信が完了して履歴情報を生成すると、履歴情報を生成した旨を示すTrapパケットを遅滞なく能動的にインターネットファクシミリ装置２に送信し、Trapパケットを受信したインターネットファクシミリ装置２は、履歴情報の送信を要求するGetRequestコマンドを遅滞なくインターネットファクシミリ装置１に送信する。そして、GetRequestコマンドを受信したインターネットファクシミリ装置１は、履歴情報をGetResponseコマンドとともに遅滞なくインターネットファクシミリ装置２に送信する。【選択図】図３
2008042795.tif 000002
【特許請求の範囲】
【請求項１】
ネットワークを介して管理装置と接続された画像処理装置であって、
画像データを送信又は受信する通信手段と、
前記通信手段による送信又は受信に関する履歴情報を生成する生成手段と、
前記生成手段による前記履歴情報の生成後、即時的に、当該履歴情報を前記管理装置に送信する履歴情報送信手段とを備えることを特徴とする画像処理装置。
【請求項２】
前記履歴情報送信手段は、
前記生成手段によって前記履歴情報が生成された旨を示す告知情報を前記管理装置に送信する告知情報送信手段と、
前記告知情報送信手段による前記告知情報の送信後に、前記管理装置から履歴要求情報を受信する受信手段とを備え、
前記受信手段による前記履歴要求情報の受信に応じて前記履歴情報を送信することを特徴とする請求項１に記載の画像処理装置。
【請求項３】
前記告知情報は、ＳＮＭＰ（Simple Network Management Protocol）におけるTrapパケットであり、
前記履歴要求情報は、ＳＮＭＰにおけるGetRequestコマンドであり、
前記履歴情報送信手段は、前記履歴情報を、ＳＮＭＰにおけるGetResponseコマンドとともに送信することを特徴とする請求項２に記載の画像処理装置。
【請求項４】
前記告知情報送信手段は、前記受信手段が前記告知情報の送信後に前記履歴要求情報を受信しない場合には前記受信手段が前記告知情報を受信するまで前記告知情報の再送を繰り返し行い、前記受信手段が前記告知情報の所定回数の再送後に前記履歴要求情報を受信しない場合には前記告知情報の再送を中止し、
前記履歴情報送信手段は、前記受信手段による前記履歴要求情報の受信に応じて未送信の前記履歴情報をも送信することを特徴とする請求項２又は３に記載の画像処理装置。
【請求項５】
ネットワークを介して複数の画像処理装置と管理装置とが接続された通信システムであって、
前記画像処理装置は、
画像データを送信又は受信する通信手段と、
前記通信手段による送信又は受信に関する履歴情報を生成する生成手段と、
前記生成手段による前記履歴情報の生成後、即時的に、当該履歴情報が生成された旨を示す告知情報を前記管理装置に送信する告知情報送信手段と、
前記告知情報送信手段による前記告知情報の送信後に、前記管理装置から履歴要求情報を受信する履歴要求情報受信手段と、
前記履歴要求情報受信手段による前記履歴要求情報の受信に応じて前記履歴情報を前記管理装置に送信する履歴情報送信手段とを備え、
前記管理装置は、
前記画像処理装置から前記告知情報を受信する告知情報受信手段と、
前記告知情報受信手段による前記告知情報の受信に応じて前記履歴要求情報を前記画像処理装置に送信する履歴要求情報送信手段と、
前記履歴要求情報送信手段による前記履歴要求情報の送信後に、前記画像処理装置から前記履歴情報を受信する履歴情報受信手段とを備えることを特徴とする通信システム。
【発明の詳細な説明】
【技術分野】
【０００１】
本発明は、画像処理装置に関し、詳しくは、画像データの送信又は受信に関する履歴情報を管理装置に送信する画像処理装置に関するものである。
【背景技術】
【０００２】
画像データの送信又は受信に関する履歴情報を管理装置に送信する画像処理装置としては、画像データの送信又は受信を行うたびに履歴情報を生成して自装置に蓄積し、所定の回数分の送信又は受信の履歴情報が自装置に蓄積されたとき、又は、予め定められた所定の日に、自装置に蓄積された履歴情報を管理装置に送信する画像処理装置（例えば、特許文献１）や、同様に画像データの送信又は受信を行うたびに履歴情報を生成して自装置に蓄積し、管理装置から履歴情報の送信を要求する電子メールを受信したときに、自装置に蓄積された履歴情報を管理装置に送信する画像処理装置（例えば、特許文献２）が発明されている。
【特許文献１】特開平６−３８０１６号公報
【特許文献２】特開２０００−２６１６４０号公報
【発明の開示】
【発明が解決しようとする課題】
【０００３】
しかし、特許文献１に記載されている画像処理装置では、履歴情報は、所定の数が蓄積されたときや所定の日が到来したときに管理装置にまとめて送信されるので、最新の履歴情報が常に管理装置に存在するわけではなく、管理者が履歴情報を参照したいときに最新の履歴情報を参照することができない場合があるという問題がある。また、特許文献２に記載されている画像処理装置では、履歴情報の送信を要求する電子メールに応じて履歴情報を管理装置にまとめて送信するので、管理者が最新の履歴情報を参照したい場合には、電子メールを画像処理装置にわざわざ送信しなければならず、また、画像処理装置から履歴情報が送信されるのを待たなければならないという問題がある。この問題は、画像処理装置が多数存在する場合により顕著となる。
【０００４】
そこで、本発明は、管理者が即座に最新の履歴情報を参照することができる画像処理装置を提供することを目的とする。
【課題を解決するための手段】
【０００５】
上記目的を達成するために、請求項１に記載の画像処理装置は、ネットワークを介して管理装置と接続された画像処理装置であって、画像データを送信又は受信する通信手段と、前記通信手段による送信又は受信に関する履歴情報を生成する生成手段と、前記生成手段による前記履歴情報の生成後、即時的に、当該履歴情報を前記管理装置に送信する履歴情報送信手段とを備えることを特徴としている。
【０００６】
この構成によれば、ネットワークを介して管理装置と接続された画像処理装置であって、通信手段により、画像データが送信又は受信され、生成手段により、通信手段による送信又は受信に関する履歴情報が生成される。そして、履歴情報送信手段により、生成手段による履歴情報の生成後、即時的に、当該履歴情報が管理装置に送信される。ここで、“履歴情報”とは、いわゆる通信ログ（log）に含まれる情報であり、例えば、画像データの送信又は受信を行った日時を示す情報、画像データを送信又は受信する通信を行った相手先を識別する情報、画像データの送信又は受信を行った画像処理装置を識別する情報などである。また、“即時的に送信する”とは、定期的に送信する、複数の履歴情報の蓄積後に一括して送信する、管理装置などの外部からの指示を契機として受動的に送信するなどではなく、履歴情報の生成の度に能動的に遅滞なく逐一送信することの意味であり、いわゆるリアルタイムに送信することを意味する。このように、生成された履歴情報が即時的に管理装置に送信されるので、管理者は、管理装置にアクセスするなどして、即座に、最新の履歴情報を参照することができる。
【０００７】
請求項２に記載の画像処理装置は、請求項１に記載の画像処理装置であって、前記履歴情報送信手段は、前記生成手段によって前記履歴情報が生成された旨を示す告知情報を前記管理装置に送信する告知情報送信手段と、前記告知情報送信手段による前記告知情報の送信後に、前記管理装置から履歴要求情報を受信する受信手段とを備え、前記受信手段による前記履歴要求情報の受信に応じて前記履歴情報を送信することを特徴としている。
【０００８】
この構成によれば、告知情報送信手段により、生成手段によって履歴情報が生成された旨を示す告知情報が管理装置に送信され、受信手段により、告知情報送信手段による告知情報の送信後に管理装置から履歴要求情報が受信され、履歴情報送信手段により、受信手段による履歴要求情報の受信に応じて履歴情報が送信される。
【０００９】
このように、管理装置から告知情報に応答して送信される履歴要求情報を受信してから履歴情報を管理装置に送信するので、管理装置が通信可能であり履歴情報を受信することが可能な場合にのみ履歴情報を送信して、履歴情報を確実に管理装置に受信させることができる。
【００１０】
請求項３に記載の画像処理装置は、請求項２に記載の画像処理装置であって、前記告知情報は、ＳＮＭＰ（Simple Network Management Protocol）におけるTrapパケットであり、前記履歴要求情報は、ＳＮＭＰにおけるGetRequestコマンドであり、前記履歴情報送信手段は、前記履歴情報を、ＳＮＭＰにおけるGetResponseコマンドとともに送信することを特徴としている。
【００１１】
この構成によれば、告知情報は、ＳＮＭＰにおけるTrapパケットであり、履歴要求情報は、ＳＮＭＰにおけるGetRequestコマンドであり、履歴情報はＳＮＭＰにおけるGetResponseコマンドとともに送信するので、請求項２に記載の画像処理装置を既存の技術を用いて容易に実現することができる。
【００１２】
請求項４に記載の画像処理装置は、請求項２又は３に記載の画像処理装置であって、前記告知情報送信手段は、前記受信手段が前記告知情報の送信後に前記履歴要求情報を受信しない場合には前記受信手段が前記告知情報を受信するまで前記告知情報の再送を繰り返し行い、前記受信手段が前記告知情報の所定回数の再送後に前記履歴要求情報を受信しない場合には前記告知情報の再送を中止し、前記履歴情報送信手段は、前記受信手段による前記履歴要求情報の受信に応じて未送信の前記履歴情報をも送信することを特徴としている。
【００１３】
この構成によれば、告知情報送信手段により、受信手段が告知情報の送信後に履歴要求情報を受信しない場合には受信手段が告知情報を受信するまで告知情報の再送が繰り返し行われ、受信手段が告知情報の所定回数の再送後に履歴要求情報を受信しない場合には告知情報の再送が中止される。そして、履歴情報送信手段により、受信手段による履歴要求情報の受信に応じて、未送信の履歴情報をも送信される。
【００１４】
このように、告知情報を繰り返し再送しても履歴要求情報を受信しない場合には告知情報の再送を中止するので、ネットワークのトラフィックの増大を防止することができる。また、告知情報の再送を中止して未送信の履歴情報が存在する場合には、管理装置から当該告知情報に応答して送信される履歴要求情報の受信に応じて、未送信の履歴情報をも送信する。したがって、未送信の履歴情報を確実に管理装置に送信することができる。
【００１５】
請求項５に記載の通信システムは、ネットワークを介して複数の画像処理装置と管理装置とが接続された通信システムであって、前記画像処理装置は、画像データを送信又は受信する通信手段と、前記通信手段による送信又は受信に関する履歴情報を生成する生成手段と、前記生成手段による前記履歴情報の生成後、即時的に、当該履歴情報が生成された旨を示す告知情報を前記管理装置に送信する告知情報送信手段と、前記告知情報送信手段による前記告知情報の送信後に、前記管理装置から履歴要求情報を受信する履歴要求情報受信手段と、前記履歴要求情報受信手段による前記履歴要求情報の受信に応じて前記履歴情報を前記管理装置に送信する履歴情報送信手段とを備え、前記管理装置は、前記画像処理装置から前記告知情報を受信する告知情報受信手段と、前記告知情報受信手段による前記告知情報の受信に応じて前記履歴要求情報を前記画像処理装置に送信する履歴要求情報送信手段と、前記履歴要求情報送信手段による前記履歴要求情報の送信後に、前記画像処理装置から前記履歴情報を受信する履歴情報受信手段とを備えることを特徴としている。
【００１６】
この構成によれば、ネットワークを介して複数の画像処理装置と管理装置とが接続された通信システムであって、画像処理装置において、通信手段により、画像データの送信又は受信が行われ、生成手段により、通信手段による送信又は受信に関する履歴情報が生成され、告知情報送信手段により、生成手段による履歴情報の生成後、即時的に、当該履歴情報が生成された旨を示す告知情報が管理装置に送信される。そして、履歴要求情報受信手段により、告知情報送信手段による告知情報の送信後に、管理装置から履歴要求情報が受信され、履歴情報送信手段により、履歴要求情報受信手段による履歴要求情報の受信に応じて履歴情報が管理装置に送信される。また、管理装置において、告知情報受信手段により、画像処理装置から告知情報が受信され、履歴要求情報送信手段により、告知情報受信手段による告知情報の受信の応じて履歴要求情報が画像処理装置に送信され、履歴情報受信手段により、履歴要求情報送信手段による履歴要求情報の送信後に、画像処理装置から履歴情報が受信される。
【００１７】
このように、生成された履歴情報が即時的に管理装置に送信されるので、管理者は、管理装置にアクセスするなどして、即座に、最新の履歴情報を参照することができる。また、管理装置から告知情報に応答して送信される履歴要求情報を受信してから履歴情報を管理装置に送信するので、管理装置が通信可能であり履歴情報を受信することが可能な場合にのみ履歴情報を送信して、履歴情報を確実に管理装置に受信させることができる。
【発明を実施するための最良の形態】
【００１８】
以下、図面を用いつつ、本発明に係る画像処理装置の一例としてのインターネットファクシミリ装置１、及び、本発明に係る管理装置の一例としてのインターネットファクシミリ装置２について説明する。図１に示すように、例えば、複数のインターネットファクシミリ装置１（（Ａ）、（Ｂ）、及び、（Ｃ））がインターネットファクシミリ装置２やクライアントＰＣ（Personal Computer）３などとともにＬＡＮ４に接続される。ＬＡＮ４は、例えば、ＴＣＰ／ＩＰネットワークを構成する。ＬＡＮ４には、ルータ５が接続され、ＬＡＮ４はルータ５を介してインターネット６に接続される。インターネット６には、インターネットファクシミリ装置７などが接続される。また、インターネットファクシミリ装置１及びインターネットファクシミリ装置２は、図示しないＰＳＴＮ（Public Switched Telephone Networks：公衆交換電話網）に接続され、ＰＳＴＮには図示しないＧ３ファクシミリ装置などが接続される。
【００１９】
インターネットファクシミリ装置１及びインターネットファクシミリ装置２は、ファクシミリ通信機能、インターネットファクシミリ通信機能、複写（コピー）機能、スキャン機能、印刷（プリント）機能などを備えている。
【００２０】
インターネットファクシミリ装置１は、ファクシミリ通信機能、又は、インターネットファクシミリ通信機能を用いて画像データの送信又は受信を行うと、当該送信又は受信に関する履歴情報を生成し、当該履歴情報の生成後、即時的に、当該履歴情報をインターネットファクシミリ装置２に送信する。ここで、“履歴情報”とは、いわゆる通信ログ（log）に含まれる情報であり、例えば、画像データの送信又は受信を行った日時を示す情報、画像データを送信又は受信する通信を行った相手先を識別する情報、画像データの送信又は受信を行ったインターネットファクシミリ装置１を識別する情報などである。また、“即時的に送信する”とは、定期的に送信する、複数の履歴情報の蓄積後に一括して送信する、インターネットファクシミリ装置２などの外部からの指示を契機として受動的に送信するなどではなく、履歴情報の生成の度に能動的に遅滞なく逐一送信することの意味であり、いわゆるリアルタイムに送信することを意味する。
【００２１】
図２は、インターネットファクシミリ装置１及びインターネットファクシミリ装置２の構成例を示したブロック図である。このインターネットファクシミリ装置１及びインターネットファクシミリ装置２は、図２に示すように、ＣＰＵ（Central Processing Unit）１０１、ＲＯＭ（Read Only Memory）１０２、ＲＡＭ（Random Access Memory）１０３、ＨＤＤ（Hard Disk Drive）１０４、操作部１０５、報知部１０６、原稿読取部１０７、画像処理部１０８、コーデック（ＣＯＤＥＣ：Coder and Decoder）１０９、画像メモリ１１０、プリンタ１１１、ＦＡＸ通信部１１２、及び、ＬＡＮ−Ｉ／Ｆ（Local Area Network Interface）１１３を備えており、各部１０１乃至１１３は、バス（bus）１１４によって通信可能に接続されている。
【００２２】
ＣＰＵ１０１は、ＲＯＭ１０２に格納されている制御プログラムに従って、インターネットファクシミリ装置１の各部の動作を制御する。ＲＯＭ１０２は、ＣＰＵ１０１によりこのインターネットファクシミリ装置１の各部の動作を制御するための前記制御プログラム等を格納する。ＲＡＭ１０３は、インターネットファクシミリ装置１の動作に用いる設定情報等の各種データ等を、読み出し及び書き込みが可能な状態で記憶するものであり、ＣＰＵ１０１のワークエリアとしても機能する。ＨＤＤ１０４は、データの蓄積などを行うためのものであり、上述の履歴情報などを記憶する。
【００２３】
操作部１０５は、図示しないが、原稿の読み取り動作の開始を指示するためのスタートキー、ファクシミリ番号、コピー部数などを入力するためのテンキー、文字の入力を行うための文字入力キー、操作対象を指定するためのカーソルキーなどを備えている。報知部１０６は、各種の設定状態や自装置１の動作状態などを文字や図形などで表示するタッチパネル式の液晶表示装置（ＬＣＤ：Liquid Crystal Display）（オペレーションパネル）や、点灯又は消灯で表示するＬＥＤ（Light Emitting Diode）ランプ、所定の警告音を鳴動するスピーカなどを備えている。操作部１０５が備える各キーの操作や報知部１０６が備える液晶表示装置のパネルへのタッチに応じて液晶表示装置の表示が変化し、この液晶表示装置の表示に対応した操作部１０５の各キーへの操作や液晶表示装置のパネルへのタッチにより各種の入力を行うことができる。
【００２４】
原稿読取部１０７は、原稿の画像を読み取って画像データを生成するものであり、図示しないが、例えば、透明な原稿載置板に載置された原稿を読み取るフラット・ベッド・スキャナ（ＦＢＳ：Flat Bed Scanner）や、原稿トレイに載置された原稿を読み取るべく、その原稿を搬送する自動原稿給送装置（ＡＤＦ：Automatic Document Feeder）を備えている。
【００２５】
画像処理部１０８は、原稿読取部１０７から出力された画像データに対して、色調整、色空間変換、２値化等の処理を行うものである。コーデック１０９は、画像処理部１０８等によって処理された画像データを符号化（エンコード）し、また、符号化された画像データを復号（デコード）するものである。コーデック１０９に入力された画像データは、ＪＰＥＧ、ＭＨ、ＭＲ、ＭＭＲ、ＪＢＩＧ方式等に基づいて符号化され、画像メモリ１１０に記憶される。
【００２６】
プリンタ１１１は、画像メモリ１１０から読み出され、コーデック１０９によって復号された画像データを印刷出力するものである。
【００２７】
ＦＡＸ通信部１１２は、原稿の画像データをファクシミリ（ＦＡＸ）通信するものであり、図示しないが、モデム（ＭＯＤＥＭ：MOdulator-DEModulator）及びＮＣＵ（Network Control Unit）を備えている。モデムは、例えばＩＴＵ−Ｔ（国際電気通信連合電気通信標準化部門）の勧告Ｖ．３４規格又はこれと同様のものに従った送受信データの変調及び復調を行うものである。ＮＣＵは、電話回線を制御して電話をかけたり、切ったりする回線網制御装置であり、図示しないＰＳＴＮに接続される。ＰＳＴＮには、インターネットファクシミリ装置１及びインターネットファクシミリ装置２の他にＧ３ファクシミリ装置などが通信可能に接続され、インターネットファクシミリ装置１及びインターネットファクシミリ装置２は、Ｇ３ファクシミリ装置などとの間で画像データをファクシミリ通信により送信又は受信することが可能である。
【００２８】
ＬＡＮ−Ｉ／Ｆ１１３は、インターネットファクシミリ装置１及びインターネットファクシミリ装置２をＬＡＮ４に接続可能にするものである。ＬＡＮ４には、上述したようにクライアントＰＣ３なども接続され、インターネットファクシミリ装置１及びインターネットファクシミリ装置２は、インターネットファクシミリ装置１とインターネットファクシミリ装置２との相互間や、クライアントＰＣ３などとの間でデータの通信が可能である。また、インターネットファクシミリ装置１及びインターネットファクシミリ装置２は、ＬＡＮ４及びルータ５を介して、インターネット６上の設けられたインターネットファクシミリ装置７などと接続され、インターネットファクシミリ装置７などとの間で、インターネットファクシミリ通信を行うことができる。ここで、インターネットファクシミリ通信とは、例えば、ＴＩＦＦ（Tagged Image File Format）−Ｓ形式のファイル（画像データ）を添付した電子メールをＳＭＴＰ（Simple Mail Transfer Protocol）で送受信する通信である。なお、このインターネットファクシミリ通信は、ＳＭＴＰサーバを介して電子メールを送受信する通信方法によるものであっても、ＳＭＴＰサーバを介さずに直接的に相手のインターネットファクシミリ装置７などと接続して電子メールを送受信する通信方法によるものであってもよい。また、インターネットファクシミリ装置１及びインターネットファクシミリ装置２は、インターネットファクシミリ通信機能とは別個に電子メール通信機能を備えており、添付ファイルのデータ形式が制限されない通常の電子メールを送信することも可能である。
【００２９】
インターネットファクシミリ装置１及びインターネットファクシミリ装置２は、ＳＮＭＰ（Simple Network Management Protocol）を実装しており、インターネットファクシミリ装置１はＳＮＭＰを使用した通信におけるエージェントとして機能し、インターネットファクシミリ装置２はＳＮＭＰホストとして機能する。インターネットファクシミリ装置１とインターネットファクシミリ装置２とは、ＳＮＭＰによる通信を行って、インターネットファクシミリ装置１で生成した履歴情報をインターネットファクシミリ装置２に蓄積する。したがって、インターネットファクシミリ装置１の例えばＨＤＤ１０４には、ＭＩＢ（Management Information Base）と呼ばれる管理情報データベースが記憶されており、このＭＩＢ（ＭＩＢファイル）によって、ＳＮＭＰを用いてインターネットファクシミリ装置１で生成した履歴情報を管理する旨が定義されている。
【００３０】
このような、インターネットファクシミリ装置１とインターネットファクシミリ装置２とは、図３のシーケンス図に示すような手順で、ＳＮＭＰによる履歴情報の通信を行う。すなわち、まず、インターネットファクシミリ装置１においてファクシミリ通信機能又はインターネットファクシミリ通信機能によって画像データの送信又は受信を行って、当該送信又は受信に関する履歴情報を生成した場合に、当該履歴情報を生成した旨を示すTrapパケット（告知情報に相当する。）をインターネットファクシミリ装置２に送信することを指示する情報を、インターネットファクシミリ装置２からインターネットファクシミリ装置１に送信する（Ａ１）。この指示を受けて、インターネットファクシミリ装置１は、ファクシミリ通信機能又はインターネットファクシミリ通信機能によって画像データの送信又は受信を行って履歴情報を生成した場合に、その旨を知らせるTrapパケットをインターネットファクシミリ装置２に送信するように設定される。
【００３１】
そして、インターネットファクシミリ装置１において、画像データの送信又は受信が完了して履歴情報を生成すると、インターネットファクシミリ装置１からその旨を知らせるTrapパケットを送信する（Ｂ１）。インターネットファクシミリ装置２は、インターネットファクシミリ装置１から送信されたTrapパケットを受信すると、画像データの送信又は受信に関する履歴情報の送信を要求するGetReqestコマンド（履歴要求情報に相当する。）を送信する（Ａ２）。インターネットファクシミリ装置１は、インターネットファクシミリ装置２から送信されたGetRequestコマンドを受信すると、GetResponseコマンドとともに履歴情報を送信する（Ｂ２）。これら、履歴情報の生成後のTrapパケットの送信、Trapパケットの受信後のGetRequestコマンドの送信、及び、GetRequestコマンドの受信後のGetResponseコマンドと履歴情報との送信は、即時的に、遅滞なく実行される。
【００３２】
また、インターネットファクシミリ装置１とインターネットファクシミリ装置２とは、図４のシーケンス図に示すような手順で、ＳＮＭＰによる履歴情報の通信を行う。つまり、まず、インターネットファクシミリ装置１においてファクシミリ通信機能又はインターネットファクシミリ通信機能によって画像データの送信又は受信を行って履歴情報を作成した場合に、履歴情報を生成した旨を示すTrapパケットをインターネットファクシミリ装置２に送信することを指示する情報を、インターネットファクシミリ装置２からインターネットファクシミリ装置１に送信する（Ｃ１）。
【００３３】
そして、インターネットファクシミリ装置１において、画像データの送信又は受信が完了して履歴情報を生成すると、インターネットファクシミリ装置１からその旨を示すTrapパケットを送信する（Ｄ１−１）。インターネットファクシミリ装置１は、Trapパケットの送信後、所定の時間が経過してもインターネットファクシミリ装置２から履歴情報の送信を要求するGetRequestコマンドを受信しない場合には、再びTrapパケットをインターネットファクシミリ装置２に送信する（Ｄ１−２）。このように、Trapパケットの送信後、所定の時間が経過してもGetRequestコマンドを受信しない場合にTrapパケットの再送を行うということを繰り返す。そして、所定の回数Trapパケットの再送を行ってもGetRequestコマンドを受信しない場合には、ＬＡＮ４のトラフィックの増大を防ぐためにTrapコマンドの再送を中止する。
【００３４】
その後、インターネットファクシミリ装置１において、新たな画像データの送信又は受信が完了して新たな履歴情報を生成すると、当該履歴情報を生成した旨を示すTrapパケットに、未送信の履歴情報がある旨を示す特別情報を付加してインターネットファクシミリ装置２に送信する（Ｄ２）。インターネットファクシミリ装置２は、特別情報が付加されたTrapパケットを受信すると、履歴情報の送信を要求するGetRequestコマンドをインターネットファクシミリ装置１に送信する（Ｃ２）。インターネットファクシミリ装置１は、当該GetRequestコマンドを受信すると、新たに行った画像データの送信又は受信に関する履歴情報と未送信の履歴情報とをGetResponseコマンドとともに送信する（Ｄ３）。
【００３５】
次に、図５及び図６を用いて、インターネットファクシミリ装置１において生成した、画像データの送信又は受信に関する履歴情報をインターネットファクシミリ装置２に送信する場合に、インターネットファクシミリ装置１のＣＰＵ１０１が実行する処理について説明する。インターネットファクシミリ装置１のＣＰＵ１０１は、ＲＯＭ１０２に記憶されている制御プログラムに従って処理を実行する。なお、ファクシミリ通信機能又はインターネットファクシミリ通信機能による画像データの送信又は受信が完了した際には、画像データを送信又は受信したときの日時を示す情報、画像データを送信又は受信する通信を行った相手先を識別する情報などがＲＡＭ１０３に記憶されているものとする。また、図５及び図６に示す各処理の順序は図示するものに限定されるものではなく、処理の順序を変更しても本発明を実現できる場合には適宜に変更してもよい。
【００３６】
まず、ユーザは、インターネットファクシミリ装置１のファクシミリ通信機能、又は、インターネットファクシミリ通信機能を用いて画像データの送信又は受信を行う。すると、ＣＰＵ１０１は、ファクシミリ通信機能、又は、インターネットファクシミリ通信機能による通信が完了したか否かを判断する（Ｓ１０１）。通信が完了していないと判断すると（Ｓ１０１：ＮＯ）、通信が完了するまで待機する。一方、通信が完了したと判断すると（Ｓ１０１：ＹＥＳ）、インターネットファクシミリ装置１が、画像データの送信又は受信に関する履歴を残すように設定されているか否かを判断する（Ｓ１０２）。履歴を残すように設定されていないと判断すると（Ｓ１０２：ＮＯ）、そのまま処理を終了する。
【００３７】
一方、履歴を残すように設定されていると判断すると（Ｓ１０２：ＹＥＳ）、上述したようにＲＡＭ１０３に記憶されている情報に基づいて履歴情報を生成し（Ｓ１０３）、生成した履歴情報をＨＤＤ１０４に記憶する。ここで生成される履歴情報は、例えば、図７の（ａ）に示すような情報であり、画像データの送信又は受信を行った日時を示す情報（“送受信日時”の項目）、画像データを送信したか又は受信したかを示す情報（“送信／受信”の項目）、画像データの送信又は受信を行ったインターネットファクシミリ装置１を識別する情報（“装置識別情報”の項目）、画像データの送信又は受信を行った通信相手を識別する情報（“通信相手識別情報”の項目）などが含まれる。なお、インターネットファクシミリ装置１を識別する情報は、ＬＡＮ４におけるＩＰアドレスなどである。また、通信相手を識別する情報は、ファクシミリ通信機能によって画像データの送信又は受信を行った場合は例えば電話番号とすることができ、インターネットファクシミリ通信によって画像データの送信又は受信を行った場合は例えば電子メールアドレスとすることができる。
【００３８】
履歴情報の生成及びＨＤＤ１０４への記憶を行うと、ＣＰＵ１０１は、インターネットファクシミリ装置１が、履歴情報を管理装置であるインターネットファクシミリ装置２に送信するように設定されているか否かを判断する（Ｓ１０５）。履歴情報を送信しないように設定されていると判断すると（Ｓ１０５：ＮＯ）、そのまま処理を終了する。一方、履歴情報を送信するように設定されていると判断すると（Ｓ１０５：ＹＥＳ）、今回のステップＳ１０３で生成してステップＳ１０４でＨＤＤ１０４に記憶した履歴情報以外の履歴情報（インターネットファクシミリ装置２に未送信である。）がＨＤＤ１０４に存在するか否かを判断する（Ｓ１０６）。未送信の履歴情報が存在しないと判断すると（Ｓ１０６：ＮＯ）、履歴情報を生成した旨を示すTrapパケットをインターネットファクシミリ装置２に送信する。Trapパケットの雛形が、例えば、ＨＤＤ１０４に記憶されており、この雛形を複製したものをそのままインターネットファクシミリ装置２に送信する。一方、未送信の履歴情報が存在すると判断すると（Ｓ１０６：ＹＥＳ）、Trapパケットに、未送信の履歴情報が存在する旨を示す特別情報を付加する。そして、特別情報を付加したTrapパケットを、ＬＡＮ４を介してインターネットファクシミリ装置２に送信する（Ｓ１０８）。Trapパケットに付加する特別情報は、インターネットファクシミリ装置１とインターネットファクシミリ装置２との間の取り決めによって、未送信の履歴情報がインターネットファクシミリ装置１に存在することを示すことができる情報であればどのような情報であってもよい。
【００３９】
Trapパケットを送信した後は、Trapパケットの送信後からの所定の時間内に、インターネットファクシミリ装置２からTrapパケットに対する応答として送信されたGetRequestコマンドを受信したか否かを判断する（Ｓ１０９）。所定の時間内にGetRequestコマンドを受信しない場合は、Trapパケットの再送を繰り返し行うが、ステップＳ１０９において所定の時間内にGetRequestコマンドを受信していないと判断した場合には、まず、Trapパケットの再送が、所定の制限回数を超えたか否かを判断する（Ｓ１１０）。Trapパケットの再送が所定の制限回数を超えていないと判断すると（Ｓ１１０：ＮＯ）、Trapパケットの再送を行う（Ｓ１１１）。一方、Trapパケットの再送が所定の回数を超えたと判断すると（Ｓ１１０：ＹＥＳ）、Trapパケットの再送の処理を行わず、ステップＳ１０３で生成してステップＳ１０４でＨＤＤ１０４に記憶した履歴情報を未送信の履歴情報としてＨＤＤ１０４に記憶し（Ｓ１１２）、ステップＳ１０１に戻る。このステップＳ１１２の処理では、未送信の履歴情報に未送信であることを示すフラグを立てる処理などを行ってもよい。
【００４０】
一方、ステップＳ１０９において、所定の時間内にGetRequestコマンドを受信したと判断すると（ＹＥＳ）、未送信の履歴情報としてＨＤＤ１０４に記憶されている情報があるか否か判断する（Ｓ１１３）。未送信の履歴情報があると判断すると（Ｓ１１３：ＹＥＳ）、今回のステップＳ１０３で生成してステップＳ１０４でＨＤＤ１０４に記憶した履歴情報と、前回の画像データの送信又は受信の際にステップＳ１０３で生成してステップＳ１０４でＨＤＤ１０４に記憶された未送信の履歴情報とをGetResponseコマンドとともに、ＬＡＮ４を介して、インターネットファクシミリ装置２に送信して（Ｓ１１４）処理を終了する。一方、未送信の履歴情報がないと判断すると（Ｓ１１３：ＮＯ）、今回のステップＳ１０３で生成してステップＳ１０４でＨＤＤ１０４に記憶した履歴情報をGetResponseコマンドとともに、インターネットファクシミリ装置２に送信して（Ｓ１１５）処理を終了する。
【００４１】
このようにして、各インターネットファクシミリ装置１（（Ａ）、（Ｂ）、及び、（Ｃ））から履歴情報が管理装置であるインターネットファクシミリ装置２に送信され、その結果、インターネットファクシミリ装置２のＨＤＤ１０４には、図７の（Ｂ）に示すような履歴情報のデータベース（ログ（log））が形成される。図７の（Ｂ）に示すように、各インターネットファクシミリ装置１から送信された履歴情報には、インターネットファクシミリ装置２が各履歴情報を受信した日時を示す情報（“履歴受信日時”の項目）がそれぞれ付加される。
【００４２】
以上に説明したように、本実施例のインターネットファクシミリ装置１及びインターネットファクシミリ装置２では、インターネットファクシミリ装置１で画像データの送信又は受信が完了して履歴情報を生成すると、履歴情報を生成した旨を示すTrapパケットを、即時的に遅滞なく能動的にインターネットファクシミリ装置２に送信し、Trapパケットを受信したインターネットファクシミリ装置２は、履歴情報の送信を要求するGetRequestコマンドを即時的に遅滞なくインターネットファクシミリ装置１に送信する。そして、GetRequestコマンドを受信したインターネットファクシミリ装置１は、履歴情報をGetResponseコマンドとともに即時的に遅滞なくインターネットファクシミリ装置２に送信する。したがって、画像データの送信又は受信に関する履歴情報が、画像データの送信又は受信の完了後、即時的に、管理装置であるインターネットファクシミリ装置２に送信されるので、管理者は、各インターネットファクシミリ装置１（（Ａ）、（Ｂ）、及び、（Ｃ））の履歴情報を参照したいときに、管理装置であるインターネットファクシミリ装置２にアクセスすることによって即座に最新の履歴情報を参照することができる。また、所定の回数だけTrapパケットの再送を行っても、インターネットファクシミリ装置１が、インターネットファクシミリ装置２から送信されるべきGetRequestコマンドを受信しない場合には、Trapパケットの再送を中断し、次に画像データの送信又は受信した際に送信するTrapパケットに未送信の履歴情報がある旨を示す特別情報を付加して送信し、当該Trapパケットを受信したインターネットファクシミリ装置２が送信するGetRequestコマンドを受信したインターネットファクシミリ装置１は、未送信分を含めた履歴情報をインターネットファクシミリ装置２に送信する。したがって、ＬＡＮ４のトラフィックの増大を防止するとともに、未送信の履歴情報を確実にインターネットファクシミリ装置２に送信することができる。
【００４３】
なお、本発明の実施形態は上述の形態に限らず、発明の思想を逸脱しない範囲で、種々に変更してもよい。例えば、上述の実施形態では、通信プロトコルにＳＮＭＰを採用し、Trapパケットの受信に応答してインターネットファクシミリ装置２から送信されるGetRequestコマンドに応答するかたちで履歴情報を送信することとしたが、通信プロトコルはＳＮＭＰに限るものではない。また、Trapパケットを送信して履歴情報の送信要求を待つのではなく、画像データの送信又は受信を完了して履歴情報を生成した後、直ちに、当該履歴情報をインターネットファクシミリ装置２に送信するようにしてもよい。
【００４４】
また、上述の実施形態では、管理装置をインターネットファクシミリ装置２とし、各インターネットファクシミリ装置１（（Ａ）、（Ｂ）、及び、（Ｃ））の履歴情報をインターネットファクシミリ装置２に送信することとしたが、管理装置をインターネットファクシミリ装置２に替えてクライアントＰＣ３や所定のサーバＰＣなどとしてもよい。
【産業上の利用可能性】
【００４５】
本発明は、例えば、画像データの送信又は受信に関する履歴情報を管理装置に送信する装置に適用可能である。
【図面の簡単な説明】
【００４６】
【図１】本発明に係る画像処理装置の一例としてのインターネットファクシミリ装置１及び本発明に係る管理装置の一例としてのインターネットファクシミリ装置２が接続されるネットワークの構成を示すブロック図である。
【図２】インターネットファクシミリ装置１及びインターネットファクシミリ装置２の構成例を示すブロック図である。
【図３】インターネットファクシミリ装置１で生成した履歴情報をインターネットファクシミリ装置２に送信する手順を説明するシーケンス図である。
【図４】インターネットファクシミリ装置１で生成した履歴情報をインターネットファクシミリ装置２に送信する手順を説明するシーケンス図である。
【図５】インターネットファクシミリ装置１において生成した、画像データの送信又は受信に関する履歴情報をインターネットファクシミリ装置２に送信する場合に、インターネットファクシミリ装置１のＣＰＵ１０１が実行する処理について説明するフローチャートである。
【図６】図５のフローチャートに続くフローチャートである。
【図７】履歴情報及び履歴情報のデータベースの一例を示す説明図である。
【符号の説明】
【００４７】
１      インターネットファクシミリ装置（画像処理装置）
１０１  ＣＰＵ
１０２  ＲＯＭ
１０３  ＲＡＭ
１０４  ＨＤＤ
１０５  操作部
１０６  報知部
１１３  ＬＡＮ−Ｉ／Ｆ
２      インターネットファクシミリ装置（管理装置）
４      ＬＡＮ
【図１】
2008042795.tif 000003
【図２】
2008042795.tif 000004
【図３】
2008042795.tif 000005
【図４】
2008042795.tif 000006
【図５】
2008042795.tif 000007
【図６】
2008042795.tif 000008
【図７】
2008042795.tif 000009